(57)【要約】      （修正有）【課題】センサのメンテナンスに関する居住者の負担を軽減し、ランニングコストの低減が可能な見守りサービスに適したコンセントユニットを提供する。【解決手段】居室内の壁体に埋め込まれる埋込型のコンセントユニットであって、壁体の内部に配線された電力配線に接続し、電力配線を通じて供給された電力を居室内の負荷に供給可能とするコンセント部２と、コンセント部に接続された電力配線を通じて電力が供給され、居室内の生活状況を示す情報を検出可能な所定のセンサ３ａ〜３ｃと、通信モジュールを通じて、所定のセンサで検出された居室内の生活状況を示す情報を所定のネットワークに送信するセンサ部３と、コンセント部とセンサ部とを一体的に保持する取付枠と、を備える。【選択図】図１
0003230534.tif 000002
【実用新案登録請求の範囲】
【請求項１】
居室内の壁体に埋め込まれる埋込型のコンセントユニットであって、
前記壁体の内部に配線された電力配線に接続し、前記電力配線を通じて供給された電力を前記居室内の負荷に供給可能とするコンセント部と、
前記コンセント部に接続された前記電力配線を通じて電力が供給され、前記居室内の生活状況を示す情報を検出可能な所定のセンサと、通信モジュールを通じて、前記所定のセンサで検出された前記居室内の生活状況を示す情報を前記所定のネットワークに送信するセンサ部と、
前記コンセント部と前記センサ部とを一体的に保持する取付枠と、
を備えることを特徴とするコンセントユニット。
【請求項２】
前記コンセント部と前記センサ部とは同一の筐体内に収納され、前記電力配線から供給される電力は前記筐体内で分岐された内部配線を通じて前記コンセント部と前記センサ部に供給される、ことを特徴とする請求項１に記載のコンセントユニット。
【請求項３】
前記コンセント部と前記センサ部とは個別の筐体内に収納され、前記コンセント部に接続された前記電力配線から供給される電力は、前記コンセント部の筐体に設けられた配線拡張用端子を通じて前記センサ部に供給される、ことを特徴とする請求項１に記載のコンセントユニット。
【考案の詳細な説明】
【技術分野】
【０００１】
本考案は、室内における居住者の生活状況を取得可能なセンサを一体的に備えるコンセントユニットに関する。
【背景技術】
【０００２】
高齢化社会の到来に伴い、アパートや公営住宅などの集合住宅で暮らす一人暮らしの高齢者等の孤独死が社会問題化しつつある。このような、一人暮らしの高齢者等の居住者を見守り対象として、様々な見守りサービスシステムが提案されている。例えば、特許文献１は、見守り対象者宅に設けられた各種のセンサを通じて検出された一人暮らしの高齢者などに生じた異常を、サービス利用者等に通知可能とする生活見守りシステムを開示する。当該生活見守りシステムにおいては、電力モニタ、家電品動作モニタ、水道センサ、マットスイッチ、および人感知センサを用いることで、居住者の電力利用状況、電気製品の利用時間、水道の利用時間、トイレや風呂の利用時間といった生活状況に合わせたきめ細やかなサービスの提供を可能とする。
【先行技術文献】
【特許文献】
【０００３】
【特許文献１】特開２００４−２８７７７０号公報
【考案の概要】
【考案が解決しようとする課題】
【０００４】
ところで、上述の一人暮らしの高齢者等を対象とする見守りサービスシステムの導入にあたり、アパート等の集合住宅を経営する不動産オーナーや管理会社においては、当該サービスに係るランニングコストが導入への課題となる。例えば、居住者の生活状況を検出するセンサの物件ごとの配置、物件全体に対して通信ネットワークに接続させる通信機器（例えば、ＷＩ−Ｆｉルータ等）を設置するための初期投資（機器×部屋数）が必要となる。このようなコストは、例えば、賃貸料等に転嫁可能であるが居住者の多くは低所得者であるため転嫁が困難であり、物件の築年数が長い場合には、構造的にセンサや通信機器の効果的な設置が困難なケースもある。また、多数のセンサを物件内の居住空間に設置する場合には、居住者が過度に監視されていると感じる虞があり、当該センサの設置拒否や取り外し、持ち去り等のトラブル要因になる。さらに、センサへの電源確保のために使用されるコンセント口の利用や、電池式のセンサに対する電池交換等のトラブルも想定される。
【０００５】
本考案は、このような実情に鑑みてなされたものであり、その目的は、センサのメンテナンスに関する居住者の負担を軽減し、ランニングコストの低減が可能な見守りサービスに関する技術を提供する。
【課題を解決するための手段】
【０００６】
上記の課題を解決するための本考案の一側面に係るコンセントユニットは、居室内の壁体に埋め込まれる埋込型のコンセントユニットである。コンセントユニットは、壁体の内部に配線された電力配線に接続し、電力配線を通じて供給された電力を記居室内の負荷に供給可能とするコンセント部を備える。また、コンセント部に接続された電力配線を通じて電力が供給され、居室内の生活状況を示す情報を検出可能な所定のセンサと、通信モジュールを通じて、所定のセンサで検出された居室内の生活状況を示す情報を所定のネットワークに送信するセンサ部を備える。さらに、コンセント部とセンサ部とを一体的に保持する取付枠を備える。
【考案の効果】
【０００７】
本考案によれば、センサのメンテナンスに係る居住者の負担を軽減し、ランニングコストの低減が可能な見守りサービスに関する技術が提供できる。
【図面の簡単な説明】
【０００８】
【図１】本考案の実施例１に係るコンセントユニットの正面図である。
【図２】本考案の実施例１に係るコンセントユニットの分解斜視図である。
【図３】本考案の実施例１に係るコンセントユニットの側面図である。
【図４】本考案の実施例１に係るコンセントユニットの使用状態を示す図である。
【図５】本考案の実施例１に係るコンセントユニットの概略構成を示すブロック図である。
【考案を実施するための形態】
【０００９】
〔実施例１〕
以下では、本考案の実施例に係るコンセントユニットについて、図面を用いて、より詳細に説明する。尚、本実施例に記載されている構成要素の寸法、材質、形状、その相対配置等は、特に特定的な記載がない限りは、考案の技術的範囲をそれらのみに限定する趣旨のものではない。
【００１０】
図１は、本実施例に係るコンセントユニット１の正面図である。図２は、本実施例に係るコンセントユニット１の分解斜視図である。図３は、本実施例に係るコンセントユニット１の側面図である。以下では、特に断りが無い限り、図１に示す向きにおいて上下左右の方向を規定し、当該正面を表面として説明する。
【００１１】
図１から図３に示すように、本実施例に係るコンセントユニット１は、集合住宅における居室内の壁体等の造営材に設けられた開口に固定されて使用される埋込型の配線用差込接続器である。本実施例に係るコンセントユニット１は、居室内における居住者の生活状況を検出可能なセンサ部３と、コンセント端子（２ａ、２ｂ）に差し込まれた差込みプラグを通じて居室内に設けられた照明器具や冷蔵庫といった負荷に商用電力を供給するコンセント部２を備える。センサ部３を通じて検出される生活状況とは、例えば、居室内における居住者（見守り対象者）の動きに関する状況や、居室内の環境に関する状況を意味する。このような、居住者の生活状況を検出可能なセンサとして、人感センサ、ＣＯ２センサ、温湿度センサ、照度センサ等が例示される。本実施例に係るセンサ部３においては、温湿度センサ３ａ、ＣＯ２センサ３ｂ、人感センサ３ｃを備える構成とした。センサ部３は、温湿度センサ３ａを備えることで、居室内の温度および湿度に関する環境状況を示す情報が検出できる。また、ＣＯ２センサ３ｂを備えることで居室内の炭酸ガス濃度に関する環境状況を示す情報が検出できる。さらに、人感センサ３ｃを備えることにより、居住者の活動量や活動する時間帯といった動きに関する状況を示す情報が検出できる。本実施例においては、上記センサ（３ａから３ｃ）の組合せを採用することで、居室内における居住者の在不在や生存状態、居住者の行動に関する活動量や時間帯の推定を可能にする最小限の情報が検出でき、センサ設置に関するコストの抑制が可能になる。
【００１２】
コンセント部２およびセンサ部３は、コンセント部２およびセンサ部３を一体的に収納する筐体１１内に収納される。コンセント部２およびセンサ部３を収納する筐体１１は、器具取付用の窓孔４ａを有する取付枠４に保持される。取付枠４は、例えば、大角連用形（ＪＩＳＣ８３０４）等によって規格化されている埋込型配線器具の施工時に用いる取付枠である。取付枠４には、取付ねじが挿通される挿通孔が設けられ、当該挿通孔に挿通された取付ねじと金具によって、居室の壁面を構成する壁体といった造営材に設けられた開口部に取り付けられる。より詳細には、取付枠４と壁体の内側に配置された金具のねじ穴
に、当該挿通孔に挿通された取付ねじを螺合することによって、壁体の開口部の縁の部分において、当該壁体を挟むように取り付けられる。なお、当該開口部には、埋め込みボックスが壁体の内側に設けられており、当該埋め込みボックスのねじ穴に取付ねじを螺合することにより、取付枠４が取り付けられるようにしてもよい。コンセント部２およびセンサ部３を収納する筐体１１は、周知の機構を用いて取付枠４に取り付けられる。
【００１３】
取付枠４の前面側には、矩形状の開口窓５ａを有する化粧プレート（配線器具用プレート）５が配置される。化粧プレート５は、例えばＡＢＳ樹脂等の合成樹脂によって形成された成形品である。化粧プレート５は、矩形枠状に形成されており、開口窓５ａを通じてコンセント部２およびセンサ部３の表面が外部に露出される。コンセント部２の表面は矩形形状を有し、コンセント端子（２ａ、２ｂ）に挿通される挿通孔が設けられる。開口窓５ａを通じて露出された挿通孔に差込プラグが差し込まれ、当該差込プラグに接続された配線コードを通じてコンセント部２から供給された商用電力が負荷に供給される。
【００１４】
センサ部３の表面は円形形状を有し、温湿度センサ３ａ、ＣＯ２センサ３ｂ、人感センサ３ｃの各検出孔が開口する。温湿度センサ３ａとＣＯ２センサ３ｂの各検出孔は矩形形状を有し、人感センサ３ｃの検出孔は円形形状を有する。人感センサ３ｃの検出孔は円錐台状の凸部の中心付近に開口し、当該円錐台状の凸部はセンサ部３の表面から前面側に突出する。温湿度センサ３ａとＣＯ２センサ３ｂの各検出孔は、センサ部３の表面の左右方向に並列して設けられる。円錐台状の凸部の中心付近に開口する人感センサ３ｃの検出孔は、左右方向に並列する温湿度センサ３ａとＣＯ２センサ３ｂの略中心付近の、上下方向の下側に設けられる。このように、開口窓５ａから露出された円形形状の表面に各センサの検出孔を配置することで人顔をモチーフとするセンサ部３が提供できる。開口窓５ａから露出されたセンサ部３の表面を視認する居住者に対して、幼児等の人顔を想起させることが期待でき、自身が監視されているといった心理的な圧迫感を和らげることが期待できる。なお、温湿度センサ３ａとＣＯ２センサ３ｂの各検出孔は円形状であってもよく、センサ部３の表面の形状は犬や猫といった動物、漫画やアニメのキャラクターをモチーフとする形状であってもよい。
【００１５】
コンセント部２およびセンサ部３を一体的に収納する筐体１１の背面側には、電力配線２１をコンセントユニット１に接続させるための挿通孔が設けられる。電力配線２１は、例えば、集合住宅に供給された商用電力を分電盤を通じて居室内に導通させる。挿通孔を通じて接続された電力配線２１により、単相２線式の交流電力がコンセント端子（２ａ、２ｂ）に導通されるとともに、電力配線２１に接続された内部配線を通じてセンサ部３の電源部３ｄに単相２線式の交流電力が供給される。
【００１６】
このように、本実施例においては、コンセントユニット１に接続された電力配線２１の商用電力を共用して、コンセント部２およびセンサ部３に交流電力が供給できる。このため、例えば、センサへの電源確保のために使用されるコンセント口の利用や、電池式のセンサに対する電池交換等のトラブルが生じる虞はない。また、居住者の生活状況を検出するセンサ部３は、壁体等の造営材にコンセント部２とともに一体的に埋め込まれるため、センサの取り外しや持ち去り等のトラブルが生じる虞もない。
【００１７】
なお、図３（２）等に示すように、コンセント部２およびセンサ部３をそれぞれ個別の筐体（１１ｂ、１１ａ）に収納するようにしてもよい。この形態では、コンセント部２を、取付枠４に取り付け可能なＪＩＳ等の規格で定められる汎用的な埋込型の配線用差込接続器を用いて構成できるため、部材コストの低減が期待できる。この形態であっても、コンセント部２およびセンサ部３はそれぞれの筐体に収納された状態で一体的に取付枠４に保持されて、壁体等に取り付けられる。そして、化粧プレート５の開口窓５ａを通じてコンセント部２およびセンサ部３の表面を外部に露出できる。したがって、このような形態
でも、センサ部３は、壁体等の造営材にコンセント部２とともに一体的に埋め込まれることになり、センサの取り外しや持ち去り等のトラブルの回避が可能になる。
【００１８】
また、この形態においては、コンセント部２の、コンセント増設用として標準的に備えられている配線拡張用の端子を用いてセンサ部３に交流電力が供給できる。センサ部３が収納された筐体１１ａの背面側には、電力配線２１を電源部３ｄに接続させるための挿通孔が設けられる。当該挿通孔を使用して、電力配線２１が接続されたコンセント部２の配線拡張用の端子と、センサ部３との間を渡り配線２２で接続すればよい。電力配線２１を通じてコンセント部２に導通された単相２線式の交流電力は、配線拡張用の端子に接続された渡り配線２２を介してセンサ部３の電源部３ｄに供給される。この形態においても、電力配線２１を通じて供給される交流電力が、コンセント部２およびセンサ部３に供給できるため、コンセント口の利用や電池交換等のトラブルが回避できる。
【００１９】
図４は、本実施例に係るコンセントユニット１の使用状態を示す図である。図４に示すように、コンセントユニット１は、例えば、居室の出入り口３１近傍の、床面３２近傍の壁体３０に設けられる。コンセントユニット１には、壁体３０内に配線された電力配線２１が接続される。コンセントユニット１のコンセント部２には差込プラグが挿入され、当該差込プラグに接続された配線コードを通じて居室内の照明器具や冷蔵庫等の負荷に商用の交流電力が供給される。センサ部３を構成する各種センサはそれぞれ、表面に開口された検出孔を通じて居住者Ｚ１の生活状況を示す情報を検出する。すなわち、温湿度センサ３ａは居室内の温度および湿度に関する環境状況を検出し、ＣＯ２センサ３ｂは居室内の炭酸ガス濃度に関する環境状況を検出する。人感センサ３ｃは、検出対象範囲に存在する居住者Ｚ１を検出する。センサ部３の各種センサを通じて、居室内における居住者の在不在や生存状態、居住者の行動に関する活動量や時間帯の推定を可能にする、生活状況を示す情報が検出される。
【００２０】
図５は、本実施例に係るコンセントユニット１の概略構成を示すブロック図である。図５には、商用の交流電力２０に接続された単相２線式の電力配線２１（２１ａ、２１ｂ）が例示される。本実施例に係るコンセントユニット１には、居室を構成する壁体３０内に配線された電力配線２１を通じて単相２線式による交流電力が供給される。図５に示すように、電力配線２１（２１ａ、２１ｂ）は、コンセント部２のコンセント端子（２ａ、２ｂ）に接続される。コンセント端子（２ａ、２ｂ）の供給された交流電力は、コンセント部２およびセンサ部３を一体的に収納する筐体１１内の内部配線を通じてセンサ部３に供給される。なお、コンセント部２とセンサ部３とがそれぞれ個別に筐体１１ａ、１１ｂに収納される場合には、コンセント部２が備える配線拡張用の端子と接続された渡り配線２２を通じてセンサ部３に交流電力が供給される。
【００２１】
センサ部３は、居住者の生活状況を示す情報を検出する各種センサ（温湿度センサ３ａ、ＣＯ２センサ３ｂ、人感センサ３ｃ）以外に、電源部３ｄと、制御部３ｅと、通信部３ｆとを備える。制御部３ｅには、センサ部３を構成する各種センサ（温湿度センサ３ａ、ＣＯ２センサ３ｂ、人感センサ３ｃ）、通信部３ｆが接続されている。電源部３ｄは、電力配線２１を通じて供給された商用の交流電力を所望の電圧値を有する直流電力に変換して、温湿度センサ３ａ、ＣＯ２センサ３ｂ、人感センサ３ｃ、電源部３ｄ、制御部３ｅ、通信部３ｆの動作電源を生成する。なお、電源部３ｄ、制御部３ｅ、通信部３ｆ等を構成する回路部品は、例えば、プリント配線基板等に実装されるなどして、センサ部３の筐体１１内または筐体１１ａ内に収納される。ただし、上記プリント配線基板は、壁体内の空間にコンセントユニット１とは別に配設されても良い。
【００２２】
制御部３ｅは、内部バス等によって相互に接続された、プロセッサ、メモリ、入出力インターフェースを有するマイコンである。上記の構成要素はそれぞれ複数に設けられても
よいし、一部の構成要素を設けないようにしてもよい。プロセッサは、例えば、ＣＰＵ（Central Processing Unit）やＭＰＵ（Micro-Processing Unit）、ＤＳＰ（Digital Signal Processor）等である。メモリは、プロセッサが読み取り可能な記憶媒体であり、フラッシュメモリ、ＲＡＭ（Random Access Memory）やＲＯＭ（Read Only Memory）を含む。制御部３ｅに接続される入力デバイスや出力デバイスとの間でデータの入出力を行うインターフェースである。制御部３ｅは、入出力インターフェースを介して、各種センサ（温湿度センサ３ａ、ＣＯ２センサ３ｂ、人感センサ３ｃ）、通信部３ｆに接続される。メモリには、制御部３ｅの機能を提供するためのプログラムやデータ等が記憶されている。プロセッサは、メモリに記憶されているプログラムを実行することにより、所定の目的に合致した機能が提供されるように周辺機器を制御する。より具体的には、プロセッサは、入出力インターフェースを介して温湿度センサ３ａ、ＣＯ２センサ３ｂ、人感センサ３ｃで検出されたデータを所定の周期間隔で定期的に取得する。取得されたデータは、例えば、時刻情報と関連付けてメモリの所定領域に一時的に記憶する。そして、プロセッサは、入出力インターフェースを介して、メモリに蓄積された各種センサのデータを一定の周期間隔で通信部３ｆに出力する。
【００２３】
通信部３ｆは、コンセントユニット１と、当該コンセントユニットが設けられた居室外のネットワークＮ１とを接続させるための無線通信モジュールである。ネットワークＮ１には、携帯電話網等の無線ネットワークや有線を介して構築された有線ネットワークが含まれる。なお、通信部３ｆは、ネットワークＮ１との通信方式に応じて適宜の構成を採用できる。
【００２４】
本実施例のコンセントユニット１は、例えば、通信部３ｆを通じてネットワークＮ１に接続された既存の見守りシステム等にアクセスすることが可能になる。ネットワークＮ１には、例えば、見守りシステムによる見守りサービスを提供する事業者のデータサーバ等が接続されている。データサーバ等には、見守り対象者である居住者の生活状況を示す情報が蓄積されて管理されている。通信部３ｆは、制御部３ｅから出力された居住者の生活状況を示す情報、すなわち、時刻情報に関連付けされた温湿度センサ３ａ、ＣＯ２センサ３ｂ、人感センサ３ｃによって検出されたデータ群をネットワークＮ１に送信する。通信部３ｆは、例えば、自身に予め割り当てられた識別情報を上記データ群に付加し、上記見守りサービスを提供する事業者のデータサーバを宛先としてネットワークＮ１に送信する。見守りサービスを提供する事業者のデータサーバには、本実施例のコンセントユニット１が設けられた居室に居住する居住者の生活状況を示す情報が蓄積されて管理される。
【００２５】
集合住宅を経営する不動産オーナーや管理会社、あるいは、これらの経営者等から委託を受けた業者は、データサーバ等に蓄積された居住者の生活状況を示す情報に基づく見守りサービスを受けることが可能になる。例えば、本実施例のコンセントユニット１で検出された、居住者ごとの生活状況を示すデータの単位時間ごとの推移がグラフ化されて通知される。また、生活状況を示すデータが所定の条件（例えば、室内温度が閾値を超える高温／低温、ＣＯ２濃度が閾値を超える濃度、閾値を超えて居住者の存在が検出されない等）を満たすときには、居住者の異常を検出した旨の通知を受けることができる。
【００２６】
以上、説明したように、本実施例に係るコンセントユニット１においては、居住者の生活状況を検出可能なセンサ部３と、差込みプラグを通じて居室内の負荷に商用電力を供給するコンセント部２が、取付枠４に一体的に取り付けられて居室内の壁体等に固定できる。センサ部３は、電力配線２１を通じてコンセント部２に供給される交流電力を内部配線あるいは渡り配線２２によって分岐して共用できる。センサ部３は、生活状況を検出可能なセンサとして、居住者の在不在や生存状態、居住者の行動に関する活動量や時間帯の推定を可能にする最小限の組合せである、温湿度センサ３ａ、ＣＯ２センサ３ｂ、人感センサ３ｃを備える。また、センサ部３は、制御部３ｅ、通信部３ｆを備え、温湿度センサ３
ａ、ＣＯ２センサ３ｂ、人感センサ３ｃで検出された居住者の生活状況を示す情報を一定間隔で定期的に取得し、ネットワークＮ１を通じて既存の見守りサービス等を提供する事業者のデータサーバ等に送信できる。
【００２７】
本実施例に係るコンセントユニット１によれば、物件の築年数が長い場合であっても、居室内に設置された既存のコンセントを本実施例のコンセントユニット１に換装することで、居住者の生活状況を見守ることが可能になる。集合住宅を経営する不動産オーナーや管理会社等においては、見守りサービスに係る初期投資を上記換装工事に係る費用に抑制できる。本コンセントユニットが備えるセンサは、居住者の在不在や生存状態、居住者の行動に関する活動量や時間帯の推定を可能にする最小限の組合せであるため、データ送信に係る通信コストが抑制できる。本コンセントユニットにおいては、通信部３ｆを備えるセンサ部３がコンセント部２と一体的に取り付けられるため、構造的にセンサや通信機器の効果的な設置が困難な場合であっても住者の生活状況を見守ることが可能になり、センサの取り外し、持ち去り等のトラブルが回避可能になる。また、本コンセントユニット１においては、センサ部３とコンセント部２とは、電力配線２１から供給される交流電力を共用できるため、センサの電源に関する居住者の負担（電池交換、コンセント口の確保）が軽減できる。本実施例に係るコンセントユニット１によれば、センサのメンテナンスに関する居住者の負担を軽減し、ランニングコストの低減が可能な見守りサービスの提供が可能になる。
【符号の説明】
【００２８】
１  コンセントユニット
２  コンセント部
３  センサ部
３ａ  温湿度センサ、３ｂ  ＣＯ２センサ、３ｃ  人感センサ
３ｄ  電源部、３ｅ  制御部、３ｆ  通信部
４  取付板
５  化粧プレート
１１  筐体
２１  電力配線
２２  渡り配線
【図１】
0003230534.tif 000003
【図２】
0003230534.tif 000004
【図３】
0003230534.tif 000005
【図４】
0003230534.tif 000006
【図５】
0003230534.tif 000007